(57)【特許請求の範囲】
【請求項１】
ディスクを載置したトレイを本体内に移動させ、該本体内に設けたクランパーとターン
テーブルとの間に前記ディスクをクランプして、該ディスクに対して記録或いは再生を行
うディスク装置であって、前記トレイのラックに噛合して前記トレイを駆動するトレイギ
アを備えたディスク装置において、
前記トレイギア内周縁部の所定の一個所より突設するボスを設け、前記トレイを前記本
体に組み付ける際に、前記ボスが前記トレイギアの中心より後ろ側となる回転範囲内に位
置するときに、前記ボスが前記トレイに設けた溝形状のリブと係合することにより前記ボ
スがセンタリングされ、前記トレイギアと前記ラックは常に同じ歯が噛み合うようにして
なり、
前記リブに、テーパ状に開口して前記ボスを導く導入部を設けるとともに、前記ラック
と噛合した前記トレイギアが回転するときに、前記ボスをリブの外部へと導く開口である
導出部を設け、
前記トレイを前記本体に組み付ける際に、前記ボスが前記トレイギアの中心より前側と
なる回転範囲内に位置していたときには、前記ボスが当接するようにした係止部を、前記
リブに設けたことを特徴とするディスク装置。
【請求項２】
ディスクを載置したトレイを本体内に移動させ、該本体内に設けたクランパーとターン
テーブルとの間に前記ディスクをクランプして、該ディスクに対して記録或いは再生を行
うディスク装置であって、前記トレイのラックに噛合して前記トレイを駆動するトレイギ
アを備えたディスク装置において、
前記トレイギア内周縁部の所定の一個所より突設するボスを設け、前記トレイを前記本
体に組み付ける際に、前記ボスが前記トレイギアの所定の回転範囲内に位置するときに、
前記ボスが前記トレイに設けた溝形状のリブと係合することにより前記ボスがセンタリン
グされ、前記トレイギアと前記ラックは常に同じ歯が噛み合うようにしてなることを特徴
とするディスク装置。
【請求項３】
前記リブに、テーパ状に開口して前記ボスを導く導入部を設けたことを特徴とする請求
項２に記載のディスク装置。
【請求項４】
前記ラックと噛合した前記トレイギアが回転するときに、前記ボスをリブの外部へと導
く開口である導出部を、前記リブに設けたことを特徴とする請求項２又は請求項３に記載
のディスク装置。
【請求項５】
前記トレイを前記本体に組み付ける際に、前記ボスが前記トレイギアの所定の回転範囲
外に位置していたときには、前記ボスが当接するようにした係止部を、前記リブに設けた
ことを特徴とする請求項２〜請求項４のいずれかに記載のディスク装置。
【発明の詳細な説明】
【技術分野】
【０００１】
本発明は、ＣＤ，ＤＶＤ等のディスクに対して記録或いは再生を行うディスク装置に関
するものであり、特に、トレイの組み付け構造に関するものである。
【背景技術】
【０００２】
従来より、ディスク装置として、ディスクを載置したディスクトレイを本体内に移動さ
せ、本体内に設けたディスクホルダ（クランパー）とターンテーブルとの間にディスクを
クランプして、ディスクに対して記録或いは再生を行うようにしたものが知られている。
さらに近年、組立時等における作業性改善を図ったものが、種々提案されてきている。
【０００３】
例えば、移送手段の移送方向にスライドさせて装置ベースに組み付けることができ、し
かも、欠歯歯車を含む歯車機構と移送手段のラックとの噛み合い位置を適正に設定するこ
とができるとしたディスクローディング装置が、特許文献１に開示されている。
【０００４】
具体的には、ディスクを移送するトレイベースと、該トレイベースを駆動する駆動機構
と、トレイベースに設けられて駆動機構の出力ギアと噛合するラックと、上記出力ギアと
欠歯歯車とを含んで駆動機構の一部を構成する駆動ギア列と、該駆動ギア列の出力ギアの
上面側に設けられ、上記欠歯歯車を所定の回動位置に維持した場合に、トレイベースの移
動方向に沿った方位に設定されるスリット壁部と、トレイベースに一体的に設けられその
移動に伴って上記方位に設定されたスリット通路を挿通し得る突起部とを備えた構成とし
ている。
【０００５】
また、トレイを組み付ける際にトレイのラックと駆動ギアとの噛み合わせがずれないよ
うにしたディスク装置が、特許文献２に開示されている。具体的には、駆動ギアの歯と歯
との間に逃げ部を設け、トレイのラックの導入部に逃げ部に対応する幅を有する幅広部を
設けてなり、トレイを組み付ける過程でトレイの幅広部が駆動ギアの逃げ部に嵌合して第
１のギアに噛合するトレイのラックの噛合位置と、第２のギアとを可動ベース駆動部材の
ラックの噛合位置とが一致して１回の操作でトレイを確実に組み付けることができる構成
としている。
【特許文献１】特開２００４−３１０８０４号公報
【特許文献２】特開２００２−２８８９１６号公報
【発明の開示】
【発明が解決しようとする課題】
【０００６】
しかしながら、上記特許文献１に記載のような構成では、欠歯歯車を所定の回動位置に
維持してスリット壁部をトレイベースの移動方向に沿った方位に設定するときの自由度が
少なく、また機構も複雑となる。また、上記特許文献２に記載のような構成では、駆動ギ
アの特定の噛み合い位置合わせが必要な場合は適用できない。このような噛み合い位置合
わせが必要な場合、従来一般的には、トレイ挿入時にトレイを駆動するギアの向きを治具
等で規制させつつ組み付けを行っていたので、不便で作業性が悪かった。
【０００７】
本発明は、以上のような問題点に鑑み、簡単な構成で、トレイ組み付け時にトレイを駆
動するギアの噛み合い位置合わせを容易で確実に行うことが可能な、ディスク装置を提供
することを目的とする。
【課題を解決するための手段】
【０００８】
上記目的を達成するために、本発明では、ディスクを載置したトレイを本体内に移動さ
せ、該本体内に設けたクランパーとターンテーブルとの間に前記ディスクをクランプして
、該ディスクに対して記録或いは再生を行うディスク装置であって、前記トレイのラック
に噛合して前記トレイを駆動するトレイギアを備えたディスク装置において、前記トレイ
ギア内周縁部の所定の一個所より突設するボスを設け、前記トレイを前記本体に組み付け
る際に、前記ボスが前記トレイギアの所定の回転範囲内に位置するときに、前記ボスが前
記トレイに設けた溝形状のリブと係合することにより前記ボスがセンタリングされ、前記
トレイギアと前記ラックは常に同じ歯が噛み合うようにしてなることを特徴とする。
【０００９】
また、前記リブに、テーパ状に開口して前記ボスを導く導入部を設けたことを特徴とす
る。また、前記ラックと噛合した前記トレイギアが回転するときに、前記ボスをリブの外
部へと導く開口である導出部を、前記リブに設けたことを特徴とする。また、前記トレイ
を前記本体に組み付ける際に、前記ボスが前記トレイギアの所定の回転範囲外に位置して
いたときには、前記ボスが当接するようにした係止部を、前記リブに設けたことを特徴と
する。
【発明の効果】
【００１０】
本発明によれば、簡単な構成で、トレイ組み付け時にトレイを駆動するギアの噛み合い
位置合わせを容易で確実に行うことが可能な、ディスク装置を提供することができる。
【発明を実施するための最良の形態】
【００１１】
以下、本発明の実施の形態について、図面を参照しながら説明する。
【実施例１】
【００１２】
図１は、本発明の実施例１に係るディスク装置のディスクローダーを示す図であり、ま
た図２は、同じディスク装置の主としてトラバースメカを示す図であって、それぞれ平面
図としている。このディスク装置は、ディスクを搬送するトレイ（不図示）と、トレイの
搬送方向（前後方向）に略垂直な方向に旋回して昇降可能なトラバースメカ２とがローダ
ーシャーシ１に設けられている。なお、ローダーシャーシ１は図示しない装置本体に固定
されている。
【００１３】
トラバースメカ２にはディスクの記録または再生を行う光ピックアップを有したピック
アップユニット３と、ピックアップユニット３をディスクの径方向に移動させるモータ４
とが設けられている。モータ４には複数の平ギヤから成る伝達手段５が取り付けられてお
り、モータ４の駆動力を減速して伝達する。伝達手段５がピックアップユニット３に形成
されたラック（不図示）と噛合することにより、モータ４によってピックアップユニット
３が移動できるようになっている。
【００１４】
また、伝達手段５は前方のトレイギア８と噛合し、トレイギア８はトラバースメカ２の
前方でローダーシャーシ１側に配されたカムスライダー６と噛合可能になっている。カム
スライダー６は、トラバースメカ２の前部に設けられたシフトレバー７とカム係合し、ト
レイの搬送方向（前後方向）及びトラバースメカ２の昇降方向と略直交する方向（左右方
向）に移動できる。これにより、トラバースメカ２が昇降する。更に、トレイギア８はト
レイに形成されたラックと噛合可能になっており、所定の時期にトレイギア８とトレイと
が連結して、モータ４の駆動力がトレイに伝達されるようになっている。
【００１５】
上記構成のディスク装置において、トレイにディスクが載置されると、モータ４の駆動
によりトレイがディスクローダー内に搬送される。トレイが所定位置に配されると、トレ
イとトレイギア８との連結が解除され、カムスライダー６とトレイギア８とが連結される
。カムスライダー６はトレイの搬送方向に垂直な方向（左右方向）に移動し、トラバース
メカ２を上昇させる。これにより、トラバースメカ２がディスクに係合してディスクがチ
ャックされる。
【００１６】
ディスクのチャック部を具体的に説明すると、ローダーシャーシ１の上側に左右方向に
渡って略長板状のクランパーホルダー９が架設されており、その中央には略円板状のクラ
ンパー１０が回転自在に設けられている。一方、図示しないスピンドルモータにより回転
駆動されるターンテーブル１１が、トラバースメカ２から上方に突設している。上述した
ディスクのチャック時には、トラバースメカ２が上昇することによりディスクの中心孔が
ターンテーブル１１に嵌合し、更にトラバースメカ２が上昇することによりディスクがタ
ーンテーブル１１とクランパー１０との間に挟み込まれる。
【００１７】
ディスクがチャックされると、トレイギア８とカムスライダー６との連結が解除され、
伝達手段５はピックアップユニット３と連結される。これにより、ピックアップユニット
３がディスクの径方向へ移動可能になり、ディスクの所定位置で記録または再生を行うこ
とができる。また、ディスクを取り出す際には上記と逆の動作が行われる。以下に、本発
明のディスク装置のトレイ組み付け構造について説明する。
【００１８】
図３は、トレイの下面図である。同図に示すように、このトレイ１４は、下面右側（図
では左側の位置）の後部から前方にかけて、上記トレイギア８と噛合するラック部１４ａ
を有している。ラック部１４ａの後端近傍には、トレイギア８の後述するボスと係合する
リブ１４ｂが設けられている。また、トレイ１４の後部左右側面には、ローダーシャーシ
１の後述するフックと係合してストッパーの働きをする突起１４ｃが設けられている。
【００１９】
図４は、トレイギア８の上側斜視図である。同図に示すように、トレイギア８は大きく
分けて、上記伝達手段５と噛合する大径歯車部８ａと、その上側に同心円状に配設され上
記カムスライダー６及びトレイ１４のラック部１４ａと噛合する小径歯車部８ｂとよりな
る。そして、小径歯車部８ｂ内周縁部の所定の一個所より、ボス８ｃが上方に突設してい
る。このボス８ｃが上記トレイ１４のリブ１４ｂと係合することにより、小径歯車部８ｂ
とラック部１４ａは常に同じ歯が噛み合うように導かれる。
【００２０】
図５は、トレイ後部に設けたリブ及びその近傍を示す下側斜視図である。リブ１４ｂは
、トレイ１４後端より前方へとラック部１４ａ後端近傍まで延びる溝形状をしており、後
端においてテーパ状に開口する導入部１４ｂａと、ラック部１４ａとは反対側面において
開口する導出部１４ｂｂとを有している。また、リブ１４ｂの前端は閉じており、上記ボ
ス８ｃが後述のように所定の位置関係において当接する係止部１４ｂｃとなっている。
【００２１】
さて、本実施例におけるトレイ組み付け手順を以下に説明する。図６〜図１０は、トレ
イ組み付け時でのトレイとトレイギアとの位置関係を示す図であり、トレイを介してトレ
イギアを透視した状態で平面図として描いてある。まず、図６に示すように、トレイギア
８の中心より後ろ側で、矢印で示すように右側を始点として０度から１８０度の回転範囲
内にボス８ｃが位置するように、トレイギア８をセットする。
【００２２】
この状態で、図７に示すように、トレイ１４をローダーシャーシ１に組み込んで行くと
、ボス８ｃがリブ１４ｂの後端に押されてトレイギア８が回転し、リブ１４ｂの導入部１
４ｂａにボス８ｃが入り込む。ボス８ｃの当初の位置によっては、導入部１４ｂａに直接
入り込む場合も勿論ある。更にトレイ１４をローダーシャーシ１内に押し込んで行くと、
図８に示すように、導入部１４ｂａのテーパ形状に沿ってボス８ｃが徐々にセンタリング
される。
【００２３】
トレイ１４を更に押し込んで行くと、図９に示すように、ボス８ｃがリブ１４ｂに入り
込んで完全にセンタリングされる。この時点で、トレイ１４のラック部１４ａ後端の歯は
、トレイギア８の小径歯車部８ｂの常に同じ歯と噛み合う。引き続きトレイ１４を押し込
んで行くと、ラック部１４ａと小径歯車部８ｂとの噛み合いにより、トレイギア８が右回
転し、ボス８ｃは導出部１４ｂｂよりリブ１４ｂの外部へと出て行く。
【００２４】
最後に、図１０に示すように、トレイ１４の後部左右側面に設けた突起１４ｃが、ロー
ダーシャーシ１の入口部左右両側に設けたフック１ｅを越えるまで、トレイ１４を押し込
むことにより、トレイ１４がローダーシャーシ１に組み付けられる。以上の構成により、
トレイ１４をローダーシャーシ１に組み付ける際に、トレイ１４のラック部１４ａとトレ
イギア８の小径歯車部８ｂとの噛み合い位置合わせを、容易で確実に行うことができる。
【００２５】
なお、トレイギア８が誤ってセットされ、ボス８ｃがトレイギア８の中心より前側で、
右側を始点として１８０度から３６０度の回転範囲内（即ち上記所定の回転範囲外）に位
置していた場合は、トレイ１４の組み付けは不可能な構造となっている。即ち、この場合
は図１１に示すように、トレイ１４のラック部１４ａとトレイギア８の小径歯車部８ｂと
が噛み合う前に、リブ１４ｂに入り込んだボス８ｃが係止部１４ｂｃに当接するので、そ
れ以上トレイ１４をローダーシャーシ１に挿入することはできなくなる。
【００２６】
以上説明したように、本発明によれば、噛み合い位置合わせが必要なギア部品について
、トレイ組み付け時に一定方向を向いていれば噛み合いを確認しなくて済むようにした機
構を設けたので、小さなギアの噛み合いを確認しながらトレイを組み付けなくても良くな
り、作業性の改善を図ることができる。
【図面の簡単な説明】
【００２７】
【図１】本発明の実施例１に係るディスク装置のディスクローダーを示す図。
【図２】ディスク装置の主としてトラバースメカを示す図。
【図３】トレイの下面図。
【図４】トレイギアの上側斜視図。
【図５】トレイ後部に設けたリブ及びその近傍を示す下側斜視図。
【図６】トレイ組み付け時でのトレイとトレイギアとの位置関係を示す図。
【図７】トレイ組み付け時でのトレイとトレイギアとの位置関係を示す図。
【図８】トレイ組み付け時でのトレイとトレイギアとの位置関係を示す図。
【図９】トレイ組み付け時でのトレイとトレイギアとの位置関係を示す図。
【図１０】トレイ組み付け時でのトレイとトレイギアとの位置関係を示す図。
【図１１】トレイギアが誤ってセットされたときの様子を示す図。
【符号の説明】
【００２８】
１    ローダーシャーシ
２    トラバースメカ
３    ピックアップユニット
４    モータ
５    伝達手段
６    カムスライダー
７    シフトレバー
８    トレイギア
９    クランパーホルダー
１０    クランパー
１１    ターンテーブル
１４    トレイ
【図１】
0004407574.tif 000002
【図２】
0004407574.tif 000003
【図３】
0004407574.tif 000004
【図４】
0004407574.tif 000005
【図５】
0004407574.tif 000006
【図６】
0004407574.tif 000007
【図７】
0004407574.tif 000008
【図８】
0004407574.tif 000009
【図９】
0004407574.tif 000010
【図１０】
0004407574.tif 000011
【図１１】
0004407574.tif 000012